【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
ＬＡＮアクセスポイント、前記ＬＡＮアクセスポイントとリンクしたワイヤレスブリッジ及び前記ワイヤレスブリッジとリンクしたレシーバを含むローカルエリアネットワークにおけるワイヤレスリンクの動作方法であって、前記ワイヤレスブリッジは、前記ワイヤレスリンクを提供するためのブリッジアクセスポイント及びブリッジステーションを含み、マルチキャストデータ接続は、前記ワイヤレスブリッジを経由して前記ＬＡＮアクセスポイント及び前記レシーバの間で確立され、
前記方法は、
前記ブリッジアクセスポイントによって受信される前記ＬＡＮアクセスポイントからのマルチキャストデータストリームを前記ブリッジステーションに転送することと、
前記ワイヤレスリンクの接続喪失後、前記ワイヤレスリンクを回復することと、
前記ワイヤレスリンクが回復したとき、前記ブリッジステーションによって前記レシーバにクエリメッセージを送信し、前記レシーバによって前記マルチキャストストリームを再開する参加リクエストメッセージの送信を開始することと、を含む方法。
【請求項２】
前記ワイヤレスリンクが回復後、途切れなく、前記ブリッジステーションによって、前記レシーバに速やかに前記クエリメッセージを送信することを、含む請求項１に記載の方法。
【請求項３】
前記マルチキャストストリームを再開するために、前記ブリッジステーションにおける前記レシーバから前記参加リクエストメッセージを受信する、請求項１又は２に記載の方法。
【請求項４】
前記クエリメッセージ及び前記参加リクエストメッセージは、インターネットグループマネジメントプロトコルに従う、請求項１乃至３のいずれか１項記載の方法。
【請求項５】
ワイヤレスリピータは、前記ローカルエリアネットワークに含まれ、前記ブリッジアクセスポイント及び前記ブリッジステーションの間のワイヤレスリンクを提供するように構成され、前記方法は、
前記ブリッジアクセスポイントによって受信される前記ＬＡＮアクセスポイントからのマルチキャストデータストリームを前記リピータ経由で前記ブリッジステーションに転送することと、
前記ワイヤレスリンクの接続喪失の後、前記ワイヤレスリンクを回復し、前記ワイヤレスリンクが回復したとき、前記ブリッジステーションによって前記レシーバにクエリメッセージを送信し、前記レシーバによって、前記マルチキャストストリームを再開する参加リクエストメッセージの伝送を開始することと、を含む請求項１乃至４のいずれか１項記載の方法。
【請求項６】
前記データストリームはビデオストリームであり、前記ワイヤレスブリッジは、ビデオブリッジであり、そして、前記レシーバは、ビデオレシーバである、請求項１乃至５のいずれか１項記載の方法。
【請求項７】
前記ビデオレシーバは、セットトップボックス、衛星レシーバ又はテレビジョンセットである、請求項６に記載の方法。
【請求項８】
第１のマイクロプロセッサを有するブリッジアクセスポイント及び第２のマイクロプロセッサを有するブリッジステーションを含み、請求項１乃至７のいずれか１項記載の方法を実行するように構成された、ワイヤレスブリッジ。
【請求項９】
請求項１乃至７のいずれか１項記載の方法を実行するための実行可能プログラムコードを含む、マイクロプロセッサで読取り可能な、非一時的プログラム記憶媒体。
【請求項１０】
請求項１乃至７のいずれか１項記載の方法を実行するための実行可能プログラムコードを含むコンピュータプログラム。
【手続補正２】
【補正対象書類名】明細書
【補正対象項目名】００３９
【補正方法】変更
【補正の内容】
【００３９】
当業者によって、本開示の範囲から逸脱することなく、他の実施形態も、利用することができる。本開示は、従って、本明細書に添付された請求項に属する。
［付記１］
ＬＡＮアクセスポイント（１）、前記ＬＡＮアクセスポイントとリンクしたワイヤレスブリッジ（Ｂ１、Ｂ２）及び前記ワイヤレスブリッジとリンクしたレシーバ（２）を含むローカルエリアネットワーク（ＬＡＮ）におけるワイヤレスリンク（３）の動作方法であって、前記ワイヤレスブリッジは、前記ワイヤレスリンクを提供するためのブリッジアクセスポイント（Ｂ１）及びブリッジステーション（Ｂ２）を含み、マルチキャストデータ接続は、前記ワイヤレスブリッジを経由して前記ＬＡＮアクセスポイント及び前記レシーバの間で確立され、
前記方法は、
前記ブリッジアクセスポイントによって受信される前記ＬＡＮアクセスポイントからのマルチキャストデータストリームを前記ブリッジステーションに転送することと（１１０）、
前記ワイヤレスリンクの接続喪失後、前記ワイヤレスリンクを回復することと（１２０）、
前記ワイヤレスリンクが回復したとき、前記ブリッジステーションによって前記レシーバにクエリメッセージを送信し、前記レシーバによって前記マルチキャストストリームを再開する参加リクエストメッセージの送信を開始することと（１３０）、を含む方法。
［付記２］
前記ワイヤレスリンクが回復後、途切れなく、前記ブリッジステーションによって、前記レシーバに速やかに前記クエリメッセージを送信することを、含む付記１に記載の方法。
［付記３］
前記マルチキャストストリームを再開するために、前記ブリッジステーションにおける前記レシーバから前記参加リクエストメッセージを受信する（１４０）、付記１又は２に記載の方法。
［付記４］
前記クエリメッセージ及び前記参加リクエストメッセージは、インターネットグループマネジメントプロトコル（ＩＧＭＰ）に従う、付記１乃至３のいずれか１項記載の方法。
［付記５］
ワイヤレスリピータ（Ｒ）は、前記ローカルエリアネットワークに含まれ、前記ブリッジアクセスポイント及び前記ブリッジステーションの間のワイヤレスリンクを提供するように構成され、前記方法は、
前記ブリッジアクセスポイントによって受信される前記ＬＡＮアクセスポイントからのマルチキャストデータストリームを前記リピータ経由で前記ブリッジステーションに転送することと、
前記ワイヤレスリンクの接続喪失の後、前記ワイヤレスリンクを回復し、前記ワイヤレスリンクが回復したとき、前記ブリッジステーションによって前記レシーバにクエリメッセージを送信し、前記レシーバによって、前記マルチキャストストリームを再開する参加リクエストメッセージの伝送を開始することと、を含む付記１乃至４のいずれか１項記載の方法。
［付記６］
前記データストリームはビデオストリームであり、前記ワイヤレスブリッジは、ビデオブリッジであり、そして、前記レシーバは、ビデオレシーバである、付記１乃至５のいずれか１項記載の方法。
［付記７］
前記ビデオレシーバは、セットトップボックス、衛星レシーバ又はテレビジョンセットである、付記６に記載の方法。
［付記８］
第１のマイクロプロセッサを有するブリッジアクセスポイント及び第２のマイクロプロセッサを有するブリッジステーションを含み、付記１乃至７のいずれか１項記載の方法を実行するように構成された、ワイヤレスブリッジ。
［付記９］
付記１乃至７のいずれか１項記載の方法を実行するための実行可能プログラムコードを含む、マイクロプロセッサで読取り可能な、非一時的プログラム記憶媒体。
［付記１０］
付記１乃至７のいずれか１項記載の方法を実行するための実行可能プログラムコードを含むコンピュータプログラム。